(57)【要約】【課題】  襟としてのバリエーションを増加させてファッション性の向上を図るとともに、首回りの襟のラインを綺麗に出すことができ、各襟要素間又は襟要素と着物或いは浴衣との間の重ね幅のバラツキの発生を防止し、着付けを美しく短時間で行うことのできる襟セットを提供すること。【解決手段】  和装下着９の首部に着脱可能に取り付けられ、着物１３又は浴衣１３′の襟から露出して覗ける第２襟要素５と第３襟要素７をそれぞれ着脱可能に備え、これら第２襟要素５と第３襟要素７を適宜選択して組み合わせるようにしたもの。【選択図】  図２
2018012897.tif 000002
【特許請求の範囲】
【請求項１】
和装下着の首部に着脱可能に取り付けられ、着物又は浴衣の襟から露出して覗ける第２襟要素と第３襟要素をそれぞれ着脱可能に備え、これら第２襟要素と第３襟要素を適宜選択して組み合わせるようにしたことを特徴とする襟セット。
【請求項２】
請求項１記載の襟セットにおいて、
和装下着の首部に取り付けられ、着物又は浴衣の襟の内側に隠れる第１襟要素と、
上記第１襟要素と和装下着の首部の何れか一方又は双方に着脱可能に取り付けられ上記着物又は浴衣の襟の内側に露出される上記第２襟要素と、
第１襟要素に着脱可能に取り付けられ上記第２襟要素の内側に露出される上記第３襟要素と、
を具備したことを特徴とする襟セット。
【請求項３】
請求項２記載の襟セットにおいて、
上記第１襟要素は和装下着の首部に対して着脱可能に取り付けられていることを特徴とする襟セット。
【請求項４】
請求項２又は請求項３記載の襟セットにおいて、
上記第１襟要素は長手方向の中間部に被差込部を備えていて、上記第２襟要素は長手方向の中間部に差込部を備えており、
上記差込部を上記被差込部に差し込んだ後、上記差込部を上記和装下着の首部に固着することで上記第２襟要素は取り付けられていることを特徴とする襟セット。
【請求項５】
請求項２〜請求項４の何れかに記載の襟セットにおいて、
上記第１襟要素は外側片と内側片を備えており、上記内側片には芯材が内装されていることを特徴とする襟セット。
【請求項６】
請求項１〜請求項５の何れかに記載の襟セットにおいて、
上記第３襟要素には芯材が内装されていることを特徴とする襟セット。
【請求項７】
請求項５又は請求項６の記載の襟セットにおいて、
上記芯材は金属製又は樹脂製の網状部材を使用したものであることを特徴とする襟セット。
【請求項８】
請求項２〜請求項７の何れかに記載の襟セットにおいて、
上記第１襟要素と上記和装下着の首部との間には第１固着手段としてファスナが設けられており、該ファスナを介して上記第１重ね襟要素は和装下着の首部に着脱可能に取り付けられていることを特徴とする襟セット。
【請求項９】
請求項２〜請求項８の何れかに記載の襟セットにおいて、
上記第２襟要素と上記第１襟要素との間には第２固着手段の一つとして面ファスナが設けられており、該面ファスナを介して上記第２襟要素は上記第１襟要素に着脱可能に取り付けられていることを特徴とする襟セット。
【請求項１０】
請求項１〜請求項９の何れかに記載の襟セットにおいて、
上記第２襟要素と上記和装下着の首部との間には第２固着手段の一つとしてホックが設けられており、該ホックを介して上記第２襟要素は上記和装下着に着脱可能に取り付けられていることを特徴とする襟セット。
【請求項１１】
請求項２〜請求項１０の何れかに記載の襟セットにおいて、
上記第３襟要素と上記第１襟要素との間には第３固着手段としてホックが設けられており、該ホックを介して上記第３襟要素は上記第１襟要素に着脱可能に取り付けられていることを特徴とする重ね襟セット。
【請求項１２】
請求項１〜請求項１１の何れかに記載の襟セットにおいて、
上記着物又は浴衣の襟の内側に露出される部位の上記第２襟要素と第３襟要素の何れか一方又は双方には、装飾材が設けられていることを特徴とする襟セット。
【発明の詳細な説明】
【技術分野】
【０００１】
本願発明は、例えば、肌襦袢、長襦袢、等の和装下着の首部に着脱可能に取り付けられる襟セットに係り、特に、襟としてのバリエーションを増加させてファッション性の向上を図り、首回りの襟のラインを綺麗に出すことができ、各襟要素間又は襟要素と着物或いは浴衣との間の重ね幅のバラツキの発生を防止し、着付けを美しく容易に短時間で行うことができる、ように工夫したものに関する。
【背景技術】
【０００２】
下記の特許文献１〜特許文献４に示すように、肌襦袢、長襦袢、等の和装下着の首部に着脱可能に取り付けられる重ね襟ないし半襟と呼ばれているものが従来から種々提案されている。
そして、これらの重ね襟や半襟を和装下着に取り付ける固着手段としては、縫い付け、ホック、縛り紐、面ファスナ等があり、更に和装下着と着物等との間に重ね襟等を挟み込む際の押圧を利用したもの、等がある。
又、重ね襟は、複数枚の襟要素を、一枚ずつずらしながら重ね合わせて個別に取り付けて行くことによって形成されており、各襟要素の重ね幅は手作業によって個別に調整されていた。
【先行技術文献】
【特許文献】
【０００３】
【特許文献１】特開２０１３−２４５４１０号公報
【特許文献２】実用新案登録第３０６４５６１号公報
【特許文献３】実開昭５１−７１０８号公報
【特許文献４】実公昭４３−２０４８２号公報
【発明の概要】
【発明が解決しようとする課題】
【０００４】
上記従来の構成によると次のような問題があった。
まず、バリエーションに乏しいという問題があった。すなわち、上記半襟は単一の襟要素のみによって構成されているため、バリエーションとしては、上に着る着物或いは浴衣等との組み合わせのみとなり、結果、バリエーションが乏しくなってしまう。
これに対して、上記重ね襟では複数枚の襟要素を使用していることから、上記半襟の場合に比べればバリエーションは増えるが限界があった。
それとは別の問題として、首回りの襟のラインがきれいに出ないという問題もあった。
さらに、各襟要素が個別に設けられているため、各襟要素間又は襟要素と着物或いは浴衣との重ね幅にバラツキが生じ易く、着付けに時間が掛かってしまうという問題もあった。
【０００５】
本発明はこのような点に基づいてなされたものでその目的とするところは、襟としてのバリエーションを増加させてファッション性の向上を図り、首回りの襟のラインを綺麗に出すことができ、各襟要素間又は襟要素と着物或いは浴衣との間の重ね幅のバラツキの発生を防止し、着付けを美しく容易に短時間で行うことを可能にする襟セットを提供することにある。
【課題を解決するための手段】
【０００６】
上記目的を達成するべく本願発明の請求項１による襟セットは、和装下着の首部に着脱可能に取り付けられ、着物又は浴衣の襟から露出して覗ける第２襟要素と第３襟要素をそれぞれ着脱可能に備え、これら第２襟要素と第３襟要素を適宜選択して組み合わせるようにしたことを特徴とするものである。
又、請求項２による襟セットは、請求項１記載の襟セットにおいて、和装下着の首部に取り付けられ、着物又は浴衣の襟の内側に隠れる第１襟要素と、上記第１襟要素と和装下着の首部の何れか一方又は双方に着脱可能に取り付けられ上記着物又は浴衣の襟の内側に露出される上記第２襟要素と、第１襟要素に着脱可能に取り付けられ上記第２襟要素の内側に露出される上記第３襟要素と、を具備したことを特徴とするものである。
又、請求項３による襟セットは、請求項２記載の襟セットにおいて、上記第１襟要素は和装下着の首部に対して着脱可能に取り付けられていることを特徴とするものである。
又、請求項４による襟セットは、請求項２又は請求項３記載の襟セットにおいて、上記第１襟要素は長手方向の中間部に被差込部を備えていて、上記第２襟要素は長手方向の中間部に差込部を備えており、上記差込部を上記被差込部に差し込んだ後、上記差込部を上記和装下着の首部に固着することで上記第２襟要素は取り付けられていることを特徴とするものである。
又、請求項５による襟セットは、請求項２〜請求項４の何れかに記載の襟セットにおいて、上記第１襟要素は外側片と内側片を備えており、上記内側片には芯材が内装されていることを特徴とするものである。
又、請求項６による襟セットは、請求項１〜請求項５の何れかに記載の襟セットにおいて、上記第３襟要素には芯材が内装されていることを特徴とするものである。
又、請求項７による襟セットは、請求項５又は請求項６の記載の襟セットにおいて、上記芯材は金属製又は樹脂製の網状部材を使用したものであることを特徴とするものである。
又、請求項８による襟セットは、請求項２〜請求項７の何れかに記載の襟セットにおいて、上記第１襟要素と上記和装下着の首部との間には第１固着手段としてファスナが設けられており、該ファスナを介して上記第１襟要素は和装下着の首部に着脱可能に取り付けられていることを特徴とするものである。
又、請求項９による襟セットは、請求項２〜請求項８の何れかに記載の襟セットにおいて、上記第２襟要素と上記第１襟要素との間には第２固着手段の一つとして面ファスナが設けられており、該面ファスナを介して上記第２襟要素は上記第１襟要素に着脱可能に取り付けられていることを特徴とするものである。
又、請求項１０による襟セットは、請求項１〜請求項９の何れかに記載の襟セットにおいて、上記第２襟要素と上記和装下着の首部との間には第２固着手段の一つとしてホックが設けられており、該ホックを介して上記第２襟要素は上記和装下着に着脱可能に取り付けられていることを特徴とするものである。
又、請求項１１による襟セットは、請求項２〜請求項１０の何れかに記載の襟セットにおいて、上記第３襟要素と上記第１襟要素との間には第３固着手段としてホックが設けられており、該ホックを介して上記第３襟要素は上記第１襟要素に着脱可能に取り付けられていることを特徴とするものである。
又、請求項１２による襟セットは、請求項１〜請求項１１の何れかに記載の襟セットにおいて、上記着物又は浴衣の襟の内側に露出される部位の上記第２襟要素と第３襟要素の何れか一方又は双方には、装飾材が設けられていることを特徴とするものである。
【発明の効果】
【０００７】
以上述べたように、本願発明の請求項１による襟セットによると、和装下着の首部に着脱可能に取り付けられ、着物又は浴衣の襟から露出して覗ける第２襟要素と第３襟要素をそれぞれ着脱可能に備え、これら第２襟要素と第３襟要素を適宜選択して組み合わせるようにしたので、第２襟要素と第３襟要素の柄と色味等の組み合わせを替えることによって、襟としての組み合わせのバリエーションを増加させてファッション性の向上を図ることができる。
又、請求項２による襟セットによると、請求項１記載の襟セットにおいて、和装下着の首部に取り付けられ、着物又は浴衣の襟の内側に隠れる第１襟要素と、上記第１襟要素と和装下着の首部の何れか一方又は双方に着脱可能に取り付けられ上記着物又は浴衣の襟の内側に露出される上記第２襟要素と、第１襟要素に着脱可能に取り付けられ上記第２襟要素の内側に露出される上記第３襟要素と、を具備した構成になっているので、上記効果をより確実なものとすることができる。
又、請求項３による襟セットによると、請求項２記載の襟セットにおいて、上記第１襟要素は和装下着の首部に対して着脱可能に取り付けられているので、上記効果をより確実なものとすることができる。
又、請求項４による襟セットによると、請求項２又は請求項３記載の襟セットにおいて、上記第１襟要素は長手方向の中間部に被差込部を備えていて、上記第２襟要素は長手方向の中間部に差込部を備えており、上記差込部を上記被差込部に差し込んだ後、上記差込部を上記和装下着の首部に固着することで上記第２襟要素は取り付けられているので、上記第２襟要素の取付状態をより強固なものとすることができる。
又、請求項５による襟セットによると、請求項２〜請求項４の何れかに記載の襟セットにおいて、上記第１襟要素は外側片と内側片を備えており、上記内側片には芯材が内装されているので、第１襟要素の形状を保持することができる。
又、請求項６による襟セットによると、請求項１〜請求項５の何れかに記載の襟セットにおいて、上記第３襟要素には芯材が内装されているので、第１襟要素の形状を保持することができる。
又、請求項７による襟セットによると、請求項５又は請求項６の記載の襟セットにおいて、上記芯材は金属製又は樹脂製の網状部材を使用したものであるので、上記効果をより確実なものとすることができる。
又、請求項８による襟セットによると、請求項２〜請求項７の何れかに記載の襟セットにおいて、上記第１襟要素と上記和装下着の首部との間には第１固着手段としてファスナが設けられており、該ファスナを介して上記第１襟要素は和装下着の首部に着脱可能に取り付けられているので、和装下着に対する着脱が容易なものとなる。
又、請求項９による襟セットによると、請求項２〜請求項８の何れかに記載の襟セットにおいて、上記第２襟要素と上記第１襟要素との間には第２固着手段の一つとして面ファスナが設けられており、該面ファスナを介して上記第２襟要素は上記第１襟要素に着脱可能に取り付けられているので、第２襟要素の上記第１襟要素に対する着脱が容易なものとなる。
又、請求項１０による襟セットによると、請求項１〜請求項９の何れかに記載の襟セットにおいて、上記第２襟要素と上記和装下着の首部との間には第２固着手段の一つとしてホックが設けられており、該ホックを介して上記第２襟要素は上記和装下着に着脱可能に取り付けられているので、第２襟要素の和装下着に対する取付がより強固なものとなる。
又、請求項１１による襟セットによると、請求項２〜請求項１０の何れかに記載の襟セットにおいて、上記第３襟要素と上記第１襟要素との間には第３固着手段としてホックが設けられており、該ホックを介して上記第３襟要素は上記第１襟要素に着脱可能に取り付けられているので、第３襟要素の第１襟要素に対する取付がより強固なものとなる。
又、請求項１２による襟セットによると、請求項１〜請求項１１の何れかに記載の襟セットにおいて、上記着物又は浴衣の襟の内側に露出される部位の上記第２襟要素と第３襟要素の何れか一方又は双方には、装飾材が設けられているので、装飾性を高めることができる。
【図面の簡単な説明】
【０００８】
【図１】本発明の第１の実施の形態を示す図で、図１（ａ）は襟セットを適用した着物の着付け完成状態を示す斜め前方からの斜視図、図１（ｂ）は斜め側方からの斜視図である。
【図２】本発明の第１の実施の形態を示す図で、襟セットを適用した和装下着の装着状態を示す斜視図である。
【図３】本発明の第１の実施の形態を示す図で、襟セットを適用した和装下着の装着状態を示す背面図である。
【図４】本発明の第１の実施の形態を示す図で、襟セットの組合わせ後の状態を示す平面図である。
【図５】本発明の第１、第２の実施の形態を示す図で、襟セットの組合わせ前の状態を示す平面図である。
【図６】本発明の第１の実施の形態を示す図で、襟セットの組合わせ途中の状態を順番に示す平面図である。
【図７】本発明の第１の実施の形態を示す図で、襟セットを示す図４中のＶＩＩ部の拡大図である。
【図８】本発明の第１の実施の形態を示す図で、襟セットを示す図４中のＶＩＩＩ部の拡大図である。
【図９】本発明の第１の実施の形態を示す図で、襟セットを示す図４中のＩＸ部の拡大図である。
【図１０】本発明の第１の実施の形態を示す図で、襟セットを示す図７中のＸ−Ｘ断面図である。
【図１１】本発明の第２の実施の形態を示す図で、襟セットを適用した浴衣の着付け完成状態を示す斜視図である。
【発明を実施するための形態】
【０００９】
以下、図１乃至図１０に示す第１の実施の形態と、図５、図１１に示す第２の実施の形態と、を例に挙げて、本発明の襟セットの構成と、その装着及び着付け完成までの手順と、着物或いは浴衣との組み合わせによって発揮される襟セットの作用、効果について具体的に説明する。
尚、以下の説明では、最初に第１の実施の形態の襟セットの概略の構成と、その適用部位について説明し、次に、第１の実施の形態の襟セットの各構成部材を具体的に説明した後、これらの組合わせ手順と和装下着に対する装着から着付け完成までの手順について説明し、続いて、着物との組み合わせによって発揮される第１の実施の形態の襟セットの作用、効果について説明する。
次に、第２の実施の形態について上記第１の実施の形態との差異を中心にその構成と作用について説明した後、これらの実施の形態と構成を異にする他の実施の形態に言及する。
【００１０】
〔第１の実施の形態〕（図１乃至図１０参照）
（１）襟セットの概略の構成と適用部位（図１乃至図５参照）
第１の実施の形態による襟セット１は、基本的に第１襟要素３と、第２襟要素５と、第３襟要素７と、の３種類の襟要素を備えることによって構成されている。
尚、この第１の実施の形態においては、上記第２襟要素５は重ね襟であり、上記第３襟要素は半襟である。
そして、第１襟要素３は、肌襦袢或いは長襦袢等の和装下着９の首部１０に取り付けられる襟要素であり、図１に示すように、着付け完成状態では、着物１３の襟１４の内側に隠れるようにして装着されている。
【００１１】
又、第２襟要素５は、第１襟要素３と和装下着９の首部１０の双方に第２固着手段１１を介して着脱可能に取り付けられる襟要素であり、図１に示すように、着付け完成状態では、着物１３の襟１４の内側に露出した状態で装着されている。
又、第３襟要素７は、第１襟要素３に第３固着手段１５を介して着脱可能に取り付けられ、第２襟要素５よりも幅広の襟要素であり、図１に示すように、着付け完成状態では第２襟要素５の内側に露出した状態で装着されている。
【００１２】
又、本実施の形態では、第１襟要素３と和装下着９の首部１０との間に第１固着手段１７が更に設けられており、第１襟要素３は該第１固着手段１７を介して、一例として肌襦袢９Ａによって構成される和装下着９の首部１０に対して着脱可能に取り付けられている。
このように、第１の実施の形態の襟セット１は、着物１３の着付け完成状態において、外観に露出する襟要素として第２襟要素５と第３襟要素７の２種類の襟要素を備えており、該第２襟要素５と第３襟要素７と着物１３の襟１４との組み合わせを替えることによって、種々のバリエーションの襟元の演出ができるように構成されている。
そして、これら第２襟要素５と第３襟要素７の重ね幅は、上述した第１固着手段１７と、第２固着手段１１と、第３固着手段１５と、によって一様になるように構成されている。又、第１襟要素３と第２襟要素５と第３襟要素７間の着脱と和装下着９の首部１０に対する着脱もこれら３種類の固着手段１７、１１、１５によって円滑に実行できるように構成されている。
【００１３】
（２）襟セットの具体的構成（図１乃至図１０参照）
本実施の形態に係る襟セット１Ａでは、上記第１襟要素３として、和装下着９の首部１０に装着した状態で外側に位置する帯紐状の外側片１９と、内側に位置する帯状の内側片２１と、を備える一例として地の白い二枚重ねの帯状部材が使用されている。又、上記外側片１９には和装下着９の首部１０に取り付ける場合に使用する第１固着手段１７の支持部材となる帯状の接続片２３の一片２３ａが取り付けられている。
又、上記外側片１９と内側片２１は、和装下着９の首部１０に取り付けた状態で外方（着物１３の襟１４側）に位置する一辺側で接続されており、該一辺を折り目として二枚重ねになるように内側に折り返されている。又、上記内側片２１には、図１０に示すように、芯材２５が内装されている。そして、本実施の形態では、芯材２５として金属製又は樹脂製の長手方向Ａに長い帯状の網状部材を幅方向Ｂに二つ折りした第１芯材２５ａと、この第１芯材２５ａの外側に同じく二つ折りに設けられた布製の第２芯材２５ｂと、から構成されている。
【００１４】
又、外側片１９は、図２に示すように、和装下着９の首部１０に沿うように設けられ、上記第１固着手段１７によって和装下着９の首部１０に取り付けられる拘束部位１９ａと、該拘束部位１９ａの左右両端部から下方の胴部１２にかけて自由状態で延びる非拘束部位１９ｂと、を備える長手方向Ａに長い帯紐状の部材によって構成されている。
そして、上記外側片１９の裏面には、上記拘束部位１９ａの左右両端部付近に一箇所、上記非拘束部位１９ｂの左右両端部付近に一箇所、これらの中間部に一箇所、の計三箇所に、計６個の面ファスナ２７の一片２７ａが取り付けられており、この面ファスナ２７の一片２７ａは第２襟要素５の前面の対応する個所に設けられる面ファスナ２７の他片２７ｂと共に第２固着手段１１の一構成要素になっている。
【００１５】
一方、内側片２１は、図２に示すように、和装下着９の首部１０に沿う一部の範囲のみに設けられ、上述した外側片１９よりも幅広でその端部が一例として斜めにカットされた帯状の部材によって構成されている。そして、該内側片２１の内部には上述したように芯材２５が内装されており、内側片２１の裏面には、第３襟要素７の前面に設けられているホック２９の一片２９ａと係合するホック２９の他片２９ｂが、一例として略等間隔で６個設けられている。
尚、このホック２９の一片２９ａと他片２９ｂは、第３固着手段１５の構成要素になっている。
【００１６】
又、第２襟要素５は、上述した第１襟要素３の外側片１９と略同じ幅寸法で、該外側片１９よりも幾分短い長さの長手方向Ａに長い帯紐状の部材によって構成されている。又、本実施の形態では一例として濃いピンク色に着色された第２襟要素５が採用されている。
そして、上記第２襟要素５の前面の上記面ファスナ２７の一片２７ａと対応する位置に対応する個数である６個の面ファスナ２７の他片２７ｂが設けられている。
【００１７】
一方、上記第１襟要素３の長手方向Ａの中間部には、上記外側片１９と内側片２１を接続している糸を一部解き、その周囲をかがることで所定幅の窓部によって構成される被差込部３１が形成されている。そして、第２襟要素５には上記被差込部３１に対応する位置の長手方向Ａの中間部に上記被差込部３１に差し込むことができる幅寸法の一例として矩形片状の差込部３３が備えられている。
又、上記差込部３３の裏面の先端部にはホック３５の一片３５ａが取り付けられている。一方、和装下着９の首部１０にも上記差込部３３と同様の幅寸法で幾分長さの短い矩形片３７が取り付けられており、該矩形片３７の先端部にはホック３５の他片３５ｂが取り付けられている。
【００１８】
そして、上記ホック３５の一片３５ａと他片３５ｂは第２固着手段１１を構成するもう一つの構成要素になっている。これにより、上記差込部３３を上記被差込部３１に差し込んだ後、上記ホック３５により和装下着９の首部１０に固着することにより、第２襟要素５は、第１襟要素３と共に和装下着９の首部１０における長手方向Ａの中間位置に位置決めされた状態で、和装下着９の首部１０に取り付けられるように構成されている。
【００１９】
又、第３襟要素７は、上述した第１襟要素３や第２襟要素５よりも幅広で長手方向Ａに長い帯状の部材である。そして、該第３襟要素７には、上記第１襟要素３の外側片１９と略同じ長手方向Ａの長さの範囲に、一例として市松模様が施された加飾部３９が設けられている。
又、上記加飾部３９が設けられている部位の第３襟要素７には、上述した第１襟要素３の内側片２１に内装されていた芯材２５と同様の芯材４１が内装されている。芯材４１は、金属製又は樹脂製の長手方向Ａに長い帯状の網状部材を幅方向Ｂに二つ折りした第１芯材４１ａと、この第１芯材４１ａの外側に同じく二つ折りの状態で設けられた布製の第２芯材４１ｂと、から構成されており、その幅寸法は第３襟要素７の幅寸法に対応して上記芯材２５よりも幅広に設定されている。
【００２０】
又、本実施の形態の襟セット１Ａの取付け対象となる和装下着９の首部１０には、上記第１襟要素３の外側片１９に設けられていた接続片２３の一片２３ａと同様の帯状の接続片２３における他片２３ｂが取り付けられており、これらの接続片２３の一辺２３ａと他片２３ｂのそれぞれの突き合わせ辺には、第１固着手段１７として機能するファスナ４３が取り付けられている。
この他、和装下着９には上述した首部１０が設けられた胴部１２に対して、その左右に袖部４５、４５が設けられており、該胴部１２の背面には、和装下着９の装着時に胴部１２の前を合わせた状態で該胴部１２の背面から前面を包むように巻いて留める、一例として幅広で帯状の固定片４７が設けられている。そして、該固定片４７の左右両端部には面ファスナ４９の一片４９ａと他片４９ｂとがそれぞれ設けられている。
【００２１】
又、胴部１２の背面の中央には、上記矩形片３７が取り付けられている部位の和装下着９の首部１０から下方に垂れ下がるように延びる上記固定片４７よりも幅狭な帯状の調整片５１が設けられている。
又、この調整片５１の裏面の先端寄りの一定の範囲には面ファスナ５３の長尺な一片５３ａが取り付けられており、上記固定片４７の背面の中央には上記面ファスナ５３の一片５３ａの適宜の部位に固定される該一片５３ａよりも長さの短い面ファスナ５３の他片５３ｂが設けられている。そして、上記面ファスナ５３の他片５３ｂの固定位置を調整することによって、露出する襟足の範囲を調整できるように構成されている。
【００２２】
（３）襟セットの装着から着付け完成までの手順（図１乃至図１０参照）
次に、このようにして構成される本実施の形態に係る襟セット１Ａの装着から着付け完成までの手順を、（Ａ）襟セット１Ａの装着、（Ｂ）和装下着９の装着、（Ｃ）着物１３の装着、の３段階に分けて具体的に説明する。
（Ａ）襟セット１Ａの装着（図４乃至図６参照）
最初に、図５に示すように、襟セット１Ａの構成部材である第１襟要素３と、第２襟要素５と、第３襟要素７と、これらの取付け対象である和装下着９とを用意する。次に、図６（ａ）に示すように、第２固着手段１１の一構成要素である面ファスナ２７を使用して、第１襟要素３の外側片１９の内側に第２襟要素５を固定する。
【００２３】
次に、図６（ｂ）に示すように、第３固着手段１５であるホック２９を使用して、第１襟要素３の内側片２１の内側に第３襟要素７を固定する。続いて、図６（ｃ）に示すように、第１固着手段１７であるファスナ４３を使用して、上記組み合わせられた状態の第２襟要素５と第３襟要素７を伴って、第１襟要素３を和装下着９の首部１０に取り付ける。
次に、図６（ｄ）に示すように、第２固着手段１１のもう一つの構成要素であるホック３５を使用して、第２襟要素５の差込部３３を第１襟要素３の被差込部３１に差し込んだ状態で、第２襟要素５を和装下着９の首部１０に固定する。
尚、図６（ｄ）に示すホック３５による固定を最初に行い、次いで、図６（ａ）に示す面ファスナ２７による固定、図６（ｂ）に示すホック２９による固定、図６（ｃ）に示すファスナ４３による固定の手順で襟セット１Ａの装着を行うようにすることも可能である。そして、襟セット１Ａの組合わせ後の状態は図４に示すようになる。
【００２４】
（Ｂ）和装下着９の装着（図２及び図３参照）
このようにして、本実施の形態に係る襟セット１Ａが首部１０に取り付けられた和装下着９を、使用者に装着する場合には、以下の手順に従う。先ず、使用者は和装下着９の左右の袖部４５、４５に手を通して和装下着９を羽織る。次に、和装下着９の胴部１２の左右の合わせを前で合わせてその一部が重なるようにする。そして、首元の空きを調整後、面ファスナ４９を使用して固定片４７の両端を前方に引き出して体に巻き、和装下着９の胴部１２の左右の合わせを図２に示すように固定する。
次に、和装下着９の胴部１０の背面に取り付けられている調整片５１を下方に引っ張って、図３に示すように、露出する襟足の範囲を調整して面ファスナ５３で調整片５１を和装下着９の胴部１２に固定する。
【００２５】
（Ｃ）着物１３の装着（図１参照）
以上で着物１３を着る前の準備ができ、上記和装下着９の上に着物１３を羽織って着物１３の前の合わせを調整する。この場合、着物１３の襟１４の内側に第１襟要素３がはみ出さないように第２襟要素５と第３襟要素７の両端の重なり量を調整し、当該重なり量が決まったところで帯と帯締めにより着物１３の前の合わせを固定する。
以上により、本実施の形態に係る襟セット１Ａを使用した着物１３の着付けが完了し、着付け完了後の着姿が図１に示すようになり、図１（ａ）に示すように着物１３の襟１４の内側に第２襟要素５、その内側に幅広の第３襟要素７が覗き、図１（ｂ）に示すように、使用者の襟足の背部に第３襟要素７と第２襟要素５がそれぞれ覗いた状態の着姿が得られるようになる。
【００２６】
そして、このようにして構成される本実施の形態に係る襟セット１Ａによれば、第２襟要素５と第３襟要素７の色味と柄等を替えることにより、襟としての組み合わせのバリエーションを増加させてファッション性の向上を図ることができる。
又、第２襟要素５の内側片２１には芯材２５が内装されていて、その芯材２５は、金属製又は樹脂製の長手方向Ａに長い帯状の網状部材を幅方向Ｂに二つ折りした第１芯材２５ａを備えており、同様に、第３襟要素７には芯材４１が内装されていて、その芯材４１は、金属製又は樹脂製の長手方向Ａに長い帯状の網状部材を幅方向Ｂに二つ折りした第１芯材４１ａを備えているので、それらの効果が相まって、首回りの襟のラインを綺麗に出すことができる。
又、第１芯材２５ａの外側に第２芯材２５ｂを配置し、同じく、第１芯材４１ａの外側に第２芯材４１ｂを配置したことも、上記効果をより高めている。
又、第１襟要素３、第２襟要素５、第３襟要素７は相互に所定の位置に固定される関係にあるとともに、和装下着９に対しても所定の位置に固定されるので、第１襟要素３、第２襟要素５、第３襟要素７相互間又は第１襟要素３、第２襟要素５、第３襟要素７と着物１３との間の重ね幅のバラツキの発生を防止することができる。
又、仕立て時或いは着付け時に縫い付けるわけではなく、単に、３つの固着手段１１、１５、１７によって、第１襟要素３、第２襟要素５、第３襟要素７、和装下着９を着脱するだけであるので、着付けが容易になって美しい着姿を短時間で得ることができるようになる。
【００２７】
〔第２の実施の形態〕（図５、図１１参照）
第２の実施の形態は、上記第１の実施の形態に係る襟セット１Ａの構成に、装飾材５７を付加した構成の襟セット１Ｂを使用している。又、着物１３ではなく、浴衣１３′を羽織る場合を例に挙げて説明している。
襟セット１Ｂにおける装飾材５７を除いた他の構成については上記第１の実施の形態の襟セット１Ａと略同様であるので、ここでの詳細な説明は省略し、本実施の形態において採用した装飾材５７の構成とその作用を中心に説明する。
【００２８】
即ち、本実施の形態では浴衣１３′の襟１４の内側に露出する部位の第２襟要素５に対して、一例として真珠を模した球形のガラスビーズを等間隔で複数配置した構成の数珠様の装飾材５７を備える襟セット１Ｂが開示されている。
また、本実施の形態では、浴衣１３′を装着した状態で、正面からみると浴衣１３′の襟１４の内側に第２襟要素５と装飾材５７が露出し、斜め前方の上部側方から見ると浴衣１３′の襟１４の内側に第２襟要素５と第３襟要素７が露出し、背面から見ると浴衣１３′の襟１４の上方に第２襟要素５と装飾材５７が露出するように構成されている。
尚、この第２の実施の形態における第３襟要素７は、前記第１の実施の形態の第３襟要素７に比べてその長さが短くなっている。例えば、図５に示した第３襟要素７において、第３固着手段１５の長さに対して、左右にそれぞれ数ｃｍから十数ｃｍを加算した程度の長さに設定されている（図５中左右端を仮想線で示す。）。
【００２９】
そして、このようにして構成される本実施の形態に係る襟セット１Ｂによっても、上述した第１の実施の形態に係る襟セット１Ａと同様の作用、効果が発揮でき、更に本実施の形態にあっては、第２襟要素５と第３襟要素７と浴衣１３′の襟１４との色味と柄等の組み合わせに加えて装飾材５７の種類を替えることによって、組み合わせのバリエーションを更に増加でき、より一層ファッション性の向上を図ることができる。
【００３０】
〔他の実施の形態〕
本発明は、上述した第１、第２の実施の形態に限定されるものではない。
例えば、又、第１襟要素３、第２襟要素５、第３襟要素７及び和装下着９間の固定は、上述した各固着手段１１、１５、１７による固定に限らず、面ファスナ２７、ホック２９、３５、ファスナ４３の組み合わせや適用部位或いは個数等を異ならせた他の構成であってもよいし、例えば、ボタンや紐等、種類の異なる他の固着手段を適用ないし併用したものであってもよい。
【００３１】
又、表面に露出しない第１襟要素３を省略し、第１襟要素３の機能を第２襟要素５と第３襟要素７の何れか一方又は双方に振り分けて備えるように構成することも可能である。
又、第１襟要素３を最初から和装下着１３の首部に縫製等によって取り付けておき、第１襟要素３を備えた和装下着１３に対して第２襟要素５と第３襟要素７を備えた襟セット１を取り付けるようにすることも可能である。
【００３２】
又、第２襟要素５と第３襟要素７に対して施す組み合わせの態様としては色味と柄に限らず、記事の違いや絵付けを施す等、他の組み合わせの態様を採用することが可能である。
【００３３】
更に、上記第２の実施の形態において設けた装飾材５７としては、宝石や真珠、貝殻等の現物そのものであってもよいし、これらを模した合成樹脂製やガラス製の装飾材５７であってもよい。又、刺しゅうや他の生地や紐等を縫い付けたもの等であってもよい。
又、上記装飾材５７は、第２襟要素５に対して設ける他、第３襟要素７に対して設けてもよく、第２襟要素５と第３襟要素７の両方に設けることも可能である。
又、第１襟要素３の内側片２１に内装される芯材２５と第３襟要素７に内装される芯材４１は、上述した網状部材に限らず、紙製或いは合成樹脂製等の弾性変形可能な板状部材であっても構わない。
その他、図示した構成はあくまで一例である。
【産業上の利用可能性】
【００３４】
本願発明は、例えば、肌襦袢或いは長襦袢等の和装下着の首部に着脱可能に取り付けられる襟セットに係り、特に、襟としてのバリエーションを増加させてファッション性の向上を図り、首回りの襟のラインを綺麗に出すことができ、各襟要素間又は襟要素と着物或いは浴衣との間の重ね幅のバラツキの発生を防止し、着付けを美しく容易に短時間で行うことができる、ように工夫したものに関し、例えば、着物、浴衣等と共に着る襟セットに好適である。
【符号の説明】
【００３５】
１  襟セット
１Ａ  襟セット
１Ｂ  襟セット
３  第１襟要素
５  第２襟要素
７  第３襟要素
９  和装下着
９Ａ  肌襦袢
１０  首部
１１  第２固着手段
１２  胴部
１３  着物
１３′  浴衣
１４  襟
１５  第３固着手段
１７  第１固着手段
１９  外側片
１９ａ  拘束部位
１９ｂ  非拘束部位
２１  内側片
２３  接続片
２３ａ  一片
２３ｂ  他片
２５  芯材
２７  面ファスナ
２７ａ  一片
２７ｂ  他片
２９  ホック
２９ａ  一片
２９ｂ  他片
３１  被差込部
３３  差込部
３５  ホック
３５ａ  一片
３５ｂ  他片
３７  矩形片
３９  加飾部
４１  芯材
４３  ファスナ
４５  袖部
４７  固定片
４９  面ファスナ
４９ａ  一片
４９ｂ  他片
５１  調整片
５３  面ファスナ
５３ａ  一片
５３ｂ  他片
５５  襟
５７  装飾材
Ａ  長手方向
Ｂ  幅方向
Ｚ  垂直方向
【図１】
2018012897.tif 000003
【図２】
2018012897.tif 000004
【図３】
2018012897.tif 000005
【図４】
2018012897.tif 000006
【図５】
2018012897.tif 000007
【図６】
2018012897.tif 000008
【図７】
2018012897.tif 000009
【図８】
2018012897.tif 000010
【図９】
2018012897.tif 000011
【図１０】
2018012897.tif 000012
【図１１】
2018012897.tif 000013
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
和装下着の首部に着脱可能に取り付けられ着物又は浴衣の襟の内側に隠れる第１襟要素と、
上記第１襟要素に着脱可能に取り付けられ上記着物又は浴衣の襟の内側に露出される第２襟要素と、
第１襟要素に着脱可能に取り付けられ上記第２襟要素の内側に露出される第３襟要素と、
を具備したことを特徴とする襟セット。
【請求項２】
請求項１記載の襟セットにおいて、
上記第１襟要素は長手方向の中間部に被差込部を備えていて、上記第２襟要素は長手方向の中間部に差込部を備えており、
上記差込部を上記被差込部に差し込んだ後、上記差込部を上記和装下着の首部に着脱可能に固着するようにしたことを特徴とする襟セット。
【請求項３】
請求項１又は請求項２記載の襟セットにおいて、
上記第１襟要素は外側片と内側片を備えており、上記内側片には芯材が内装されていることを特徴とする襟セット。
【請求項４】
請求項１〜請求項３の何れかに記載の襟セットにおいて、
上記第３襟要素には芯材が内装されていることを特徴とする襟セット。
【請求項５】
請求項３又は請求項４の記載の襟セットにおいて、
上記芯材は金属製又は樹脂製の網状部材を使用したものであることを特徴とする襟セット。
【請求項６】
請求項１〜請求項５の何れかに記載の襟セットにおいて、
上記第１襟要素と上記和装下着の首部との間にはファスナが設けられており、該ファスナを介して上記第１重ね襟要素は和装下着の首部に着脱可能に取り付けられていることを特徴とする襟セット。
【請求項７】
請求項１〜請求項６の何れかに記載の襟セットにおいて、
上記第２襟要素と上記第１襟要素との間には面ファスナが設けられており、該面ファスナを介して上記第２襟要素は上記第１襟要素に着脱可能に取り付けられていることを特徴とする襟セット。
【請求項８】
請求項２記載の襟セットにおいて、
上記第２襟要素の差込部と上記和装下着の首部との間にはホックが設けられており、該ホックを介して上記第２襟要素は上記和装下着に着脱可能に取り付けられていることを特徴とする襟セット。
【請求項９】
請求項１〜請求項８の何れかに記載の襟セットにおいて、
上記第３襟要素と上記第１襟要素との間にはホックが設けられており、該ホックを介して上記第３襟要素は上記第１襟要素に着脱可能に取り付けられていることを特徴とする重ね襟セット。
【請求項１０】
請求項１〜請求項９の何れかに記載の襟セットにおいて、
上記着物又は浴衣の襟の内側に露出される部位の上記第２襟要素と第３襟要素の何れか一方又は双方には、装飾材が設けられていることを特徴とする襟セット。
【手続補正２】
【補正対象書類名】明細書
【補正対象項目名】０００６
【補正方法】変更
【補正の内容】
【０００６】
上記目的を達成するべく本願発明の請求項１による襟セットは、和装下着の首部に着脱可能に取り付けられ着物又は浴衣の襟の内側に隠れる第１襟要素と、上記第１襟要素に着脱可能に取り付けられ上記着物又は浴衣の襟の内側に露出される第２襟要素と、第１襟要素に着脱可能に取り付けられ上記第２襟要素の内側に露出される第３襟要素と、を具備したことを特徴とするものである。
又、請求項２による襟セットは、請求項１記載の襟セットにおいて、上記第１襟要素は長手方向の中間部に被差込部を備えていて、上記第２襟要素は長手方向の中間部に差込部を備えており、上記差込部を上記被差込部に差し込んだ後、上記差込部を上記和装下着の首部に着脱可能に固着するようにしたことを特徴とするものである。
又、請求項３による襟セットは、請求項１又は請求項２記載の襟セットにおいて、上記第１襟要素は外側片と内側片を備えており、上記内側片には芯材が内装されていることを特徴とするものである。
又、請求項４による襟セットは、請求項１〜請求項３の何れかに記載の襟セットにおいて、上記第３襟要素には芯材が内装されていることを特徴とするものである。
請求項５による襟セットは、請求項３又は請求項４の記載の襟セットにおいて、上記芯材は金属製又は樹脂製の網状部材を使用したものであることを特徴とするものである。
又、請求項６による襟セットは、請求項１〜請求項５の何れかに記載の襟セットにおいて、上記第１襟要素と上記和装下着の首部との間にはファスナが設けられており、該ファスナを介して上記第１重ね襟要素は和装下着の首部に着脱可能に取り付けられていることを特徴とするものである。
又、請求項７による襟セットは、請求項１〜請求項６の何れかに記載の襟セットにおいて、上記第２襟要素と上記第１襟要素との間には面ファスナが設けられており、該面ファスナを介して上記第２襟要素は上記第１襟要素に着脱可能に取り付けられていることを特徴とするものである。
又、請求項８による襟セットは、請求項２記載の襟セットにおいて、上記第２襟要素の差込部と上記和装下着の首部との間にはホックが設けられており、該ホックを介して上記第２襟要素は上記和装下着に着脱可能に取り付けられていることを特徴とするものである。
又、請求項９による襟セットは、請求項１〜請求項８の何れかに記載の襟セットにおいて、上記第３襟要素と上記第１襟要素との間にはホックが設けられており、該ホックを介して上記第３襟要素は上記第１襟要素に着脱可能に取り付けられていることを特徴とするものである。
又、請求項１０による襟セットは、請求項１〜請求項９の何れかに記載の襟セットにおいて、上記着物又は浴衣の襟の内側に露出される部位の上記第２襟要素と第３襟要素の何れか一方又は双方には、装飾材が設けられていることを特徴とするものである。